(57)【要約】【課題】フィルタ支持部材上において偏向フィルタを自転させることが可能でありながら、偏向フィルタ装置を光軸方向に薄型化できるレンズ鏡筒用偏向フィルタ装置を提供する。【解決手段】フィルタ支持部材２１、２８に光軸Ａと平行な軸回りに回転可能として支持した、外周側からフィルタ支持ギヤ６５に噛合して該フィルタ支持ギヤを回転可能に支持する少なくとも３つの補助ギヤ５４、６１、６２、６３を備える。【選択図】図３
2013142739.tif 000002
【特許請求の範囲】
【請求項１】
撮影光学系を具備するレンズ鏡筒の内部に設けたベース部材に、上記撮影光学系の光軸と平行な回転軸回りに回転可能に支持するフィルタ支持部材と、
該フィルタ支持部材に対して、上記光軸と平行な自身の中心軸回りに相対回転可能なフィルタ支持ギヤと、
該フィルタ支持ギヤに固定した偏向フィルタと、
上記フィルタ支持部材を上記回転軸回りに回転させ、該偏向フィルタを上記光軸から退避する退避位置と上記光軸上に位置する使用位置とに移動させる回転移動機構と、
上記フィルタ支持ギヤと噛合し、上記フィルタ支持部材が上記使用位置に移動したときに該フィルタ支持ギヤを上記中心軸回りに回転させるギヤ機構を有する回転駆動機構と、
上記フィルタ支持部材に上記光軸と平行な軸回りに回転可能に支持され、上記フィルタ支持ギヤの外周側に噛合して該フィルタ支持ギヤを上記中心軸回りに回転可能に支持する少なくとも３つの補助ギヤと、を備えることを特徴とするレンズ鏡筒用偏向フィルタ装置。
【請求項２】
請求項１記載のレンズ鏡筒用偏向フィルタ装置において、
上記補助ギヤが、
上記回転駆動機構の構成要素である一つの駆動補助ギヤと、
上記フィルタ支持ギヤを挟んで該駆動補助ギヤと反対側に位置する一つの主補助ギヤと、
上記駆動補助ギヤと上記主補助ギヤを結ぶ直線に関して互いに反対側に位置する二つの副補助ギヤと、
を備えるレンズ鏡筒用偏向フィルタ装置。
【請求項３】
請求項１または２記載のレンズ鏡筒用偏向フィルタ装置において、
上記回転駆動機構が、駆動源の駆動力によって回転しながら上記フィルタ支持ギヤと噛合する、上記フィルタ支持部材に設けたギヤ列を備えるレンズ鏡筒用偏向フィルタ装置。
【請求項４】
請求項３記載のレンズ鏡筒用偏向フィルタ装置において、
上記フィルタ支持部材が上記使用位置に位置したときに、該フィルタ支持部材と当接することにより上記退避位置と反対側への回転を規制するストッパと、
上記回転移動機構の構成要素であり、上記駆動源の駆動力によって回転する、上記ベース部材に支持した駆動ギヤと、
を備え、
上記ギヤ列が、
上記回転移動機構の構成要素であり、上記フィルタ支持部材が上記使用位置以外の位置に位置する場合は、該フィルタ支持部材に圧接することにより上記駆動ギヤの回転力を受けたときに該フィルタ支持部材と一緒に回転し、かつ、上記フィルタ支持部材が上記使用位置において上記ストッパと当接した場合は、上記駆動ギヤの回転力を受けたときに該フィルタ支持部材に対して相対回転するフリクションギヤと、
上記回転移動機構の構成要素であり、該フリクションギヤが上記フィルタ支持部材に対して相対回転したときのみ、該フリクションギヤの回転力を上記フィルタ支持ギヤに伝達するフィルタ使用時作動ギヤと、
上記駆動補助ギヤと、
を備えるレンズ鏡筒用偏向フィルタ装置。
【請求項５】
請求項１記載のレンズ鏡筒用偏向フィルタ装置において、
上記回転駆動機構が、
上記フィルタ支持部材が上記退避位置に位置するときは、上記フィルタ支持ギヤから離間し、上記フィルタ支持部材が上記使用位置に位置するときは、駆動源の駆動力によって回転しながら上記フィルタ支持ギヤと噛合する、上記ベース部材に設けたギヤ列を備えるレンズ鏡筒用偏向フィルタ装置。
【請求項６】
請求項５記載のレンズ鏡筒用偏向フィルタ装置において、
上記回転移動機構が、
上記駆動源の駆動力によって回転して上記ギヤ列と噛合する、上記ベース部材に支持した駆動ギヤと、
上記フィルタ支持部材が上記使用位置以外の位置に位置する場合は、該フィルタ支持部材に圧接することにより上記駆動ギヤの回転力を受けたときに該フィルタ支持部材と一緒に回転し、かつ、上記フィルタ支持ギヤが上記使用位置において上記ギヤ列と噛合した場合は、上記駆動ギヤの回転力を受けたときに上記フィルタ支持部材に対して相対回転するフリクションギヤと、
を備えるレンズ鏡筒用偏向フィルタ装置。
【発明の詳細な説明】
【技術分野】
【０００１】
本発明はレンズ鏡筒用の偏向フィルタ装置に関する。
【背景技術】
【０００２】
レンズ鏡筒用の偏向フィルタ装置の従来技術としては、例えば特許文献１に開示されたものがある。
沈胴式であるレンズ鏡筒の内部には、レンズ枠（２群レンズ枠）を支持する一対の支持板が設けてあり、一対の支持板にはフィルタ支持部材（フィルタ挿脱枠）の一端部が光軸と平行な軸回りに回転可能に支持してある。フィルタ支持部材には円形貫通孔が穿設してあり、円形貫通孔の周縁部には後方に向かって突出する環状形状の回転支持フランジが一体的に突設してある。円形の偏向フィルタはフィルタ支持ギヤ（フィルタ保持環）に固定状態で支持してあり、フィルタ支持ギヤの前部に形成した環状突起が上記回転支持フランジによって回転可能に支持されている。そのためフィルタ支持ギヤ及び偏向フィルタは、フィルタ支持部材に対して偏向フィルタの中心軸回りに相対回転可能である。上記のようにフィルタ支持部材は一対の支持板に対して回転可能であり、具体的には、偏向フィルタが光軸の側方に退避する退避位置と光軸上に位置する使用位置との間を回転可能である。
さらにフィルタ支持部材には、複数のギヤからなるギヤ列が支持してある。このギヤ列の一端に位置するギヤは、フィルタ支持ギヤと噛合している。一方、ギヤ列の他端に位置するギヤは、一対の支持板に回転可能に支持した駆動ギヤと噛合しており、この駆動ギヤは駆動モータと連係している。
【０００３】
フィルタ支持部材が退避位置に位置するときに駆動モータが正転すると、この駆動モータの駆動力が駆動ギヤからギヤ列に伝わることにより、フィルタ支持ギヤ及び偏向フィルタが回転（自転）することなくフィルタ支持部材が使用位置まで回転する。
フィルタ支持部材が使用位置まで回転すると、ストッパ手段によってフィルタ支持部材のそれ以上の回転が規制される一方で、ギヤ列の回転力がフィルタ支持ギヤに伝達されるので、光軸上に位置する偏向フィルタ（及びフィルタ支持ギヤ）が偏向フィルタの中心軸回りに回転（自転）する。そのため上記レンズ枠によって支持されたレンズ群を透過した光束は、偏向フィルタを通した後に該レンズ群の後方に配置した撮像素子によって撮像される。
【先行技術文献】
【特許文献】
【０００４】
【特許文献１】特開２００６−３３７６９５号公報
【発明の概要】
【発明が解決しようとする課題】
【０００５】
特許文献１の偏向フィルタ装置では、フィルタ支持部材上において偏向フィルタ（及びフィルタ支持ギヤ）を回転（自転）させる必要があるので、フィルタ支持部材にはフィルタ支持ギヤを回転支持するための回転支持手段を設ける必要がある。
しかし、上記のようにフィルタ支持部材とフィルタ支持ギヤの対向部に形成した上記回転支持フランジと環状突起によって回転支持手段を構成すると、回転支持フランジと環状突起の（光軸方向）の厚み分だけ偏向フィルタ装置が光軸方向に厚くなってしまう。さらに、（沈胴状態にあるときの）レンズ鏡筒を光軸方向に薄型化するのが難しくなってしまう。
【０００６】
本発明は、フィルタ支持部材上において偏向フィルタを自転させることが可能でありながら、偏向フィルタ装置を光軸方向に薄型化できるレンズ鏡筒用偏向フィルタ装置を提供することを目的とする。
【課題を解決するための手段】
【０００７】
本発明のレンズ鏡筒用偏向フィルタ装置は、撮影光学系を具備するレンズ鏡筒の内部に設けたベース部材に、上記撮影光学系の光軸と平行な回転軸回りに回転可能に支持するフィルタ支持部材と、該フィルタ支持部材に対して、上記光軸と平行な自身の中心軸回りに相対回転可能なフィルタ支持ギヤと、該フィルタ支持ギヤに固定した偏向フィルタと、上記フィルタ支持部材を上記回転軸回りに回転させ、該偏向フィルタを上記光軸から退避する退避位置と上記光軸上に位置する使用位置とに移動させる回転移動機構と、上記フィルタ支持ギヤと噛合し、上記フィルタ支持部材が上記使用位置に移動したときに該フィルタ支持ギヤを上記中心軸回りに回転させるギヤ機構を有する回転駆動機構と、上記フィルタ支持部材に上記光軸と平行な軸回りに回転可能に支持され、上記フィルタ支持ギヤの外周側に噛合して該フィルタ支持ギヤを上記中心軸回りに回転可能に支持する少なくとも３つの補助ギヤと、を備えることを特徴としている。
【０００８】
上記補助ギヤが、上記回転駆動機構の構成要素である一つの駆動補助ギヤと、上記フィルタ支持ギヤを挟んで該駆動補助ギヤと反対側に位置する一つの主補助ギヤと、上記駆動補助ギヤと上記主補助ギヤを結ぶ直線に関して互いに反対側に位置する二つの副補助ギヤと、を備えてもよい。
【０００９】
上記回転駆動機構が、駆動源の駆動力によって回転しながら上記フィルタ支持ギヤと噛合する、上記フィルタ支持部材に設けたギヤ列を備えてもよい。
この場合は、上記フィルタ支持部材が上記使用位置に位置したときに、該フィルタ支持部材と当接することにより上記退避位置と反対側への回転を規制するストッパと、上記回転移動機構の構成要素であり、上記駆動源の駆動力によって回転する、上記ベース部材に支持した駆動ギヤと、を備え、上記ギヤ列が、上記回転移動機構の構成要素であり、上記フィルタ支持部材が上記使用位置以外の位置に位置する場合は、該フィルタ支持部材に圧接することにより上記駆動ギヤの回転力を受けたときに該フィルタ支持部材と一緒に回転し、かつ、上記フィルタ支持部材が上記使用位置において上記ストッパと当接した場合は、上記駆動ギヤの回転力を受けたときに該フィルタ支持部材に対して相対回転するフリクションギヤと、上記回転移動機構の構成要素であり、該フリクションギヤが上記フィルタ支持部材に対して相対回転したときのみ、該フリクションギヤの回転力を上記フィルタ支持ギヤに伝達するフィルタ使用時作動ギヤと、上記駆動補助ギヤと、を備えてもよい。
【００１０】
また、上記回転駆動機構が、上記フィルタ支持部材が上記退避位置に位置するときは、上記フィルタ支持ギヤから離間し、上記フィルタ支持部材が上記使用位置に位置するときは、駆動源の駆動力によって回転しながら上記フィルタ支持ギヤと噛合する、上記ベース部材に設けたギヤ列を備えてもよい。
この場合は、上記回転移動機構が、上記駆動源の駆動力によって回転して上記ギヤ列と噛合する、上記ベース部材に支持した駆動ギヤと、上記フィルタ支持部材が上記使用位置以外の位置に位置する場合は、該フィルタ支持部材に圧接することにより上記駆動ギヤの回転力を受けたときに該フィルタ支持部材と一緒に回転し、かつ、上記フィルタ支持ギヤが上記使用位置において上記ギヤ列と噛合した場合は、上記駆動ギヤの回転力を受けたときに上記フィルタ支持部材に対して相対回転するフリクションギヤと、を備えてもよい。
【発明の効果】
【００１１】
本発明のレンズ鏡筒用偏向フィルタ装置は、フィルタ支持ギヤをフィルタ支持部材に対して相対回転可能に支持する回転支持手段として、フィルタ支持ギヤの外周側に配置した少なくとも３つの補助ギヤを利用している。そのため（特許文献１のように）フィルタ支持部材とフィルタ支持ギヤの対向部に形成した回転支持手段を利用する場合に比べて、偏向フィルタ装置、及び、（沈胴状態にあるときの）レンズ鏡筒を光軸方向に薄型化できる。
【図面の簡単な説明】
【００１２】
【図１】本発明を適用した第１の実施形態の沈胴式レンズ鏡筒の繰り出し状態における中央縦断側面図である。
【図２】偏向フィルタ装置の前斜め上方から見た分解斜視図である。
【図３】前方支持板を省略して示す偏向フィルタ装置及びシャッターブロックの正面図である。
【図４】図３のIV−IV矢線に沿う断面図である。
【図５】本発明の第２の実施形態の図２と同様の分解斜視図である。
【図６】同じく図３と同様の正面図である。
【図７】変形例の図３と同様の正面図である。
【図８】別の変形例の図４と同様の断面図である。
【発明を実施するための形態】
【００１３】
以下、図１〜図４を参照しながら本発明の第１の実施形態について説明する。なお以下の説明における前後、左右、及び、上下の各方向は、図中に記載した矢線方向を基準としている。
まずは偏向フィルタ装置２０を搭載したレンズ鏡筒１０の大まかな構造について簡単に説明する。
レンズ鏡筒１０はデジタルカメラのカメラボディ（図示略）に搭載するものであり、前後方向に延びる中心軸（後述する光軸Ａ）を中心とする環状部材である固定環１１を有しており、固定環１１の後端部には前面に撮像素子１３を支持した撮像素子ホルダ１２が固定してある。固定環１１の内周面には、第３レンズ群Ｌ３（撮影光学系）を支持した３群支持枠１４が第３レンズ群Ｌ３の光軸Ａ方向に進退自在に支持してある。固定環１１の内周面には、３群支持枠１４の前方に位置しかつ固定環１１と同軸をなす環状部材である２群支持枠１５が光軸Ａ方向に進退可能に支持してあり、２群支持枠１５の内周部には第３レンズ群Ｌ３と同軸をなす第２レンズ群Ｌ２（撮影光学系）が固定してある。さらに２群支持枠１５の内周部には第２レンズ群Ｌ２の直前に位置するシャッターブロック１６（ベース部材）が固定してある。２群支持枠１５の内周面には、固定環１１及び２群支持枠１５と同軸をなす環状部材である１群支持枠１７が光軸Ａ方向に進退可能に支持してあり、１群支持枠１７の内周部には第２レンズ群Ｌ２及び第３レンズ群Ｌ３と同軸をなす第１レンズ群Ｌ１（撮影光学系）が固定してある。
レンズ鏡筒１０は、３群支持枠１４、２群支持枠１５及び１群支持枠１７が後退して全体が図示を省略したカメラボディ（ケース）の内部に収納される収納状態（図示略）と、３群支持枠１４、２群支持枠１５及び１群支持枠１７が前方に移動して２群支持枠１５及び１群支持枠１７がカメラボディの前方に前方に繰り出す繰り出し状態（図１の状態）とに変形可能である。
【００１４】
続いて図１及び図２に示すようにシャッターブロック１６の前面に取り付けた偏向フィルタ装置２０の詳しい構造について説明する。
偏向フィルタ装置２０は、共に金属板のプレス成形品である前方支持板２１（フィルタ支持部材）と後方支持板２８（フィルタ支持部材）を具備している。前方支持板２１は、揺動アーム部２２と、揺動アーム部２２の一端に接続する略円形のフィルタ挟持部２３と、を具備しており、揺動アーム部２２のフィルタ挟持部２３と反対側の端部は前方支持板２１のその他の部分に比べて一段前方に位置する基端部２４となっている。さらにフィルタ挟持部２３には円形の光束透過孔２５が穿設してあり、基端部２４には軸受け孔２６が穿設してある。一方、後方支持板２８は、揺動アーム部２９と、揺動アーム部２９の一端に接続する略円形のフィルタ挟持部３０と、を具備しており、揺動アーム部２９のフィルタ挟持部３０と反対側の端部は後方支持板２８のその他の部分に比べて一段後方に位置する基端部３１となっている。フィルタ挟持部３０には光束透過孔２５と同心かつ光束透過孔２５より大径の円形孔である光束透過孔３２が穿設してあり、基端部３１には軸受け孔３３が穿設してある。前方支持板２１の基端部２４を除く部分と後方支持板２８の基端部３１を除く部分は共に光軸Ａ方向に対して直交する平板状である。
【００１５】
前方支持板２１の基端部２４と後方支持板２８の基端部３１は光軸Ａと平行な回転軸３５によってシャッターブロック１６に支持してある。回転軸３５は光軸Ａと平行な自身の軸線に関して回転対称な円柱状部材である。回転軸３５の後端部は後端嵌合部３６を構成しており、後端嵌合部３６の直前部には後端嵌合部３６（及び軸受け孔３３）より大径の支持フランジ３７が形成してある。支持フランジ３７の直前に位置する部分は、支持フランジ３７より小径の回転支持部３８となっており、回転支持部３８の前端近傍には環状凹部３９が凹設してある。さらに回転軸３５の前端部は回転支持部３８より小径の前端嵌合部４０となっている。
シャッターブロック１６の前面には支持用凹部１８が凹設してあり、回転軸３５は後端嵌合部３６を前方から（後方支持板２８の）軸受け孔３３に相対回転可能に挿通した上で支持用凹部１８に嵌合固定することにより、シャッターブロック１６に対して固定してある。回転軸３５の回転支持部３８には前方から付勢バネ４１（例えば圧縮コイルバネ）を相対回転可能に嵌合させている。さらに付勢バネ４１の外周面には、光軸Ａと平行な軸線を有するフリクションギヤ４３の中心貫通孔が相対回転不能に嵌合している。回転支持部３８にはフリクションギヤ４３の前方に位置するワッシャ４４を嵌合させてあり、環状凹部３９にＥリング４５を嵌めることにより、ワッシャ４４とフリクションギヤ４３の後端部の間で付勢バネ４１を弾性変形させた状態（自由状態に比べて前後寸法が小さい状態）で挟持している。そのため付勢バネ４１の弾性付勢力によってフリクションギヤ４３の後面は（後方支持板２８の）基端部３１の前面に対して常に圧接しており、両者の間には所定の回転抵抗力が発生している。前方支持板２１の基端部２４に形成した軸受け孔２６は、Ｅリング４５の前方から前端嵌合部４０に回転可能に嵌合させてある。
前方支持板２１の揺動アーム部２２と後方支持板２８の揺動アーム部２９にはそれぞれ２つの接続孔２１ａ、２８ａが穿設してある。そして左側に位置する接続孔２１ａと接続孔２８ａには、光軸Ａと平行な自身の軸線に関して回転対称な支持軸４７の両端部が嵌合固定してある。支持軸４７は、回転支持部４８と、回転支持部４８の前後にそれぞれ位置しかつ回転支持部４８より小径の嵌合凸部４９と嵌合凸部５０と、を有している。支持軸４７は嵌合凸部４９と嵌合凸部５０を接続孔２８ａと接続孔２１ａにそれぞれ嵌合固定して、回転支持部４８の前後両面を揺動アーム部２２と揺動アーム部２９に当接させた状態で前方支持板２１と後方支持板２８に固定してある。そして支持軸４７の回転支持部４８には、光軸Ａと平行な軸線を有しかつフリクションギヤ４３より薄肉である（前後寸法が小さい）中間ギヤ５１の回転中心孔が回転可能に嵌合させてあり、中間ギヤ５１はフリクションギヤ４３と噛合している。右側の接続孔２１ａ、２８ａには、支持軸４７と同じ構造である支持軸５２の嵌合凸部４９と嵌合凸部５０がそれぞれ嵌合固定してあり、支持軸５２の回転支持部４８には中間ギヤ５１と同一仕様である（同一仕様でなくてもよい）補助ギヤ５４（フィルタ使用時作動ギヤ）の回転中心孔が回転可能に嵌合しており、補助ギヤ５４は中間ギヤ５１と噛合している。
【００１６】
前方支持板２１のフィルタ挟持部２３と後方支持板２８のフィルタ挟持部３０にはそれぞれ３つの接続孔２１ａ、２８ａが、光束透過孔２５、３２の外周側に位置させて穿設してある。各接続孔２１ａ、２８ａには、支持軸４７と同じ構造である支持軸５７、５８、５９が支持軸４７、５２と同じ態様で嵌合固定してある。そして支持軸５７の回転支持部４８には中間ギヤ５１及び補助ギヤ５４と同じ肉厚（前後寸法）の補助ギヤ６１（主補助ギヤ）の回転中心孔が回転可能に嵌合しており、支持軸５８、５９の回転支持部４８には、共に補助ギヤ６１と同一仕様である補助ギヤ６２（副補助ギヤ）と補助ギヤ６３（副補助ギヤ）の回転中心孔がそれぞれ回転可能に嵌合している。図３に示すように正面視における補助ギヤ６２、６３の位置は、補助ギヤ５４の中心（支持軸５２）と補助ギヤ６１の中心（支持軸５７）を結ぶ直線に関して対称で、かつ、該直線方向の位置が光軸Ａより補助ギヤ６１側の位置である。
そして前方支持板２１と後方支持板２８によって挟まれ、かつ、補助ギヤ５４、補助ギヤ６１、補助ギヤ６２、及び、補助ギヤ６３によって囲まれた空間には、中心部に円形のフィルタ支持孔６６が穿設されたフィルタ支持ギヤ６５が配設してある。フィルタ支持ギヤ６５は補助ギヤ５４（中間ギヤ５１）、補助ギヤ６１、補助ギヤ６２、及び、補助ギヤ６３より大径かつギヤ数が多く、その肉厚（前後寸法）は補助ギヤ５４（中間ギヤ５１）、補助ギヤ６１、補助ギヤ６２、及び、補助ギヤ６３と略同一である。そしてフィルタ支持ギヤ６５の外周面に形成したギヤ歯に補助ギヤ５４、補助ギヤ６１、補助ギヤ６２、及び、補助ギヤ６３の各ギヤ歯が外周側からそれぞれ噛合しているので、フィルタ支持ギヤ６５は補助ギヤ５４、補助ギヤ６１、補助ギヤ６２、及び、補助ギヤ６３によって、フィルタ支持ギヤ６５の（光軸Ａと平行な）中心軸回りに回転可能に支持されている。さらにフィルタ支持孔６６には正面視円形の偏向フィルタ６８が、自身の（光軸Ａと平行な）中心軸とフィルタ支持ギヤ６５の中心軸を一致させた状態で嵌合固定してある。
【００１７】
シャッターブロック１６の前面には支持用凹部１９が凹設してあり、支持用凹部１９には回転軸３５と平行な回転支持軸７０の後端部が嵌合固定してある。回転支持軸７０には、光軸Ａと平行な軸線を有しかつ前後長がフリクションギヤ４３より長い駆動ギヤ７１の中心貫通孔が回転可能に嵌合してあり、駆動ギヤ７１はフリクションギヤ４３と噛合している。さらに駆動ギヤ７１は図示を省略して連係ギヤ列を介してフィルタ駆動用モータ（駆動源。図示略）の出力軸と連係している。
以上説明した符号２１〜７１からなる構成が偏向フィルタ装置２０の構成要素であり、このうち回転軸３５、付勢バネ４１、フリクションギヤ４３、ワッシャ４４、Ｅリング４５、回転支持軸７０、及び、駆動ギヤ７１を除く部分が回転ユニット７３の構成要素である。またフリクションギヤ４３、中間ギヤ５１、及び、補助ギヤ５４からなるギヤ列が回転駆動機構の構成要素であり、フリクションギヤ４３、中間ギヤ５１、及び、駆動ギヤ７１が回転移動機構の構成要素である。
回転ユニット７３は回転軸３５を中心にシャッターブロック１６に対して、図３の仮想線で示す退避位置と、図３に実線で示す使用位置との間を回転可能である。回転ユニット７３が退避位置に位置するとき偏向フィルタ６８が光軸Ａから上方に退避するので（図３の仮想線参照）、撮影者（レンズ鏡筒１０を搭載したデジタルカメラのユーザー）は通常の状態で被写体を撮影できる。
【００１８】
回転ユニット７３が退避位置に位置するときに撮影者がデジタルカメラのボディに設けた偏向撮影スイッチ（図示略）をＯＮ操作すると、上記フィルタ駆動用モータが正転する。するとフィルタ駆動用モータの回転駆動力が上記連係ギヤ列を介して駆動ギヤ７１に伝わり、さらに駆動ギヤ７１からフリクションギヤ４３に伝わる（図３の矢印参照）。ここでフリクションギヤ４３と後方支持板２８（基端部３１）の間には付勢バネ４１による上記回転抵抗力が発生しているため、フリクションギヤ４３が回転すると後方支持板２８がフリクションギヤ４３と一緒に（一体的に）回転軸３５を中心にして下方（正面視時計方向）に回転する。そして回転ユニット７３（後方支持板２８）が図３に実線で示した使用位置まで回転すると、後方支持板２８の側面がシャッターブロック１６の前面に突設したストッパ１６ａ（図３の仮想線参照）に当接し回転ユニット７３の下方への回転が規制されるので、回転ユニット７３が使用位置に保持される。そして第１レンズ群Ｌ１、第２レンズ群Ｌ２、及び、第３レンズ群Ｌ３の光軸Ａとフィルタ支持ギヤ６５及び偏向フィルタ６８の中心軸が一致する。
そして回転ユニット７３が回動規制された状態において、さらにフィルタ駆動用モータを正転させ続けると、フリクションギヤ４３と後方支持板２８（基端部３１）の間に発生している上記回転抵抗力を越える大きさの回転駆動力が駆動ギヤ７１からフリクションギヤ４３に伝わるので、フリクションギヤ４３が後方支持板２８（基端部３１）に対して相対回転する。その結果、フリクションギヤ４３と噛合している中間ギヤ５１、中間ギヤ５１と噛合している補助ギヤ５４、補助ギヤ５４と噛合しているフィルタ支持ギヤ６５、及び、フィルタ支持ギヤ６５と噛合している補助ギヤ６１、６２、６３が図３の矢線方向にそれぞれ回転するので、偏向フィルタ６８を前方支持板２１及び後方支持板２８に対して光軸Ａ（フィルタ支持ギヤ６５及び偏向フィルタ６８の中心軸）を中心として定位置回転させることができる。従って第１レンズ群Ｌ１、及び、光束透過孔２５を透過した光束（被写体像）が偏向フィルタ６８によって偏向された後に、光束透過孔３２、第２レンズ群Ｌ２及び第３レンズ群Ｌ３を通り抜けて撮像素子１３によって撮像される。
【００１９】
回転ユニット７３が使用位置に位置するときに撮影者が上記偏向撮影スイッチをＯＦＦ操作すると、上記フィルタ駆動用モータが逆転する。この場合はストッパ１６ａと後方支持板２８の間で回転規制力が発生しないので、フリクションギヤ４３は後方支持板２８（基端部３１）に対して相対回転せず、フリクションギヤ４３と一緒に後方支持板２８（回転ユニット７３）が回転軸３５を中心として上方（図３の反時計方向）へ回転する。そして回転ユニット７３が退避位置まで回転したときにフィルタ駆動用モータが自動的に回転を停止するので、回転ユニット７３は退避位置に保持される。
【００２０】
以上説明した本実施形態の偏向フィルタ装置２０は、前方支持板２１及び後方支持板２８に対してフィルタ支持ギヤ６５及び偏向フィルタ６８を光軸Ａ回りに回転可能に支持する回転支持手段として、外周側からフィルタ支持ギヤ６５に噛合する４つの補助ギヤ、即ち、補助ギヤ５４、補助ギヤ６１、補助ギヤ６２、及び、補助ギヤ６３を利用しているため、特許文献１のようにフィルタ支持部材（前方支持板２１、後方支持板２８）とフィルタ支持ギヤ（フィルタ支持ギヤ６５）の対向部に形成した回転支持手段を備える場合に比べて、偏向フィルタ装置２０を光軸Ａ方向に薄型化できる。さらに沈胴状態に移行させたときのレンズ鏡筒１０（カメラ全体）を光軸Ａ方向に薄型化できる。
さらに補助ギヤ５４からフィルタ支持ギヤ６５に回転力が伝達されたときには、補助ギヤ５４からフィルタ支持ギヤ６５に対してフィルタ支持ギヤ６５を補助ギヤ６１側に押圧する付勢力が同時に及ぶものの、補助ギヤ６１がこの付勢力を確実に受け止めるので、フィルタ支持ギヤ６５の回転動作中も補助ギヤ６１（及び、補助ギヤ５４、補助ギヤ６２、補助ギヤ６３）によってフィルタ支持ギヤ６５を安定した状態で支持することが可能である。
【００２１】
続いて本発明の第２の実施形態について図５及び図６を参照しながら説明する。なお、第１の実施形態と同じ部材には同じ符号を付すにとどめて、その詳細な説明は省略する。
本実施形態の偏向フィルタ装置８０のシャッターブロック１６’（ベース部材）は、前面に支持軸８１と支持軸８２を具備し、かつ支持用凹部１９を具備しない点を除いてシャッターブロック１６と同じ構造である。
また前方支持板２１’（フィルタ支持部材）は揺動アーム部２２に接続孔２１ａを形成していない点を除いて前方支持板２１と同じ構造である。後方支持板２８’（フィルタ支持部材）は基端部３１’が他の部分と同一平面上に位置する点と、揺動アーム部２９の左側に接続孔２８ａを形成していない点とを除いて後方支持板２８と同じ構造である。
また前方支持板２１’と後方支持板２８’に対する支持軸５７、５８、５９の支持位置（補助ギヤ６１、６２、６３の取付位置）が偏向フィルタ装置２０とは多少異なる。さらに前方支持板２１’と後方支持板２８’に取り付けた支持軸５７、５８、５９とは別個の支持軸６０によって補助ギヤ６４（副補助ギヤ）を支持し、フィルタ支持ギヤ６５のギヤ歯に補助ギヤ６４のギヤ歯を外周側から噛合させている。
その一方で、中間ギヤ５１、及び、補助ギヤ５４と同一仕様である中間ギヤ８３の取付態様は第１の実施形態と大きく異なる。即ち、中間ギヤ５１及び中間ギヤ８３は前方支持板２１’と後方支持板２８’の間に設けるのではなく、それぞれ支持軸８１と支持軸８２に回転可能に支持してある。図示するように中間ギヤ５１と中間ギヤ８３は互いに噛合しており、中間ギヤ５１は駆動ギヤ７１と噛合している。
以上説明した構成のうち符号２１’〜５２、５７〜７１、及び、８１〜８３からなる構成が偏向フィルタ装置８０の構成要素であり、このうち回転軸３５、付勢バネ４１、フリクションギヤ４３、ワッシャ４４、Ｅリング４５、回転支持軸７０、及び、駆動ギヤ７１を除く部分が回転ユニット７３’の構成要素である。また中間ギヤ５１、及び、中間ギヤ８３からなるギヤ列が回転駆動機構の構成要素であり、フリクションギヤ４３、及び、駆動ギヤ７１が回転移動機構の構成要素である。
【００２２】
偏向フィルタ装置８０の回転ユニット７３’も回転軸３５を中心にして図６の仮想線で示す退避位置と、図６に実線で示す使用位置との間を回転可能である。
回転ユニット７３が退避位置に位置するときに撮影者がデジタルカメラの上記偏向撮影スイッチをＯＮ操作することにより上記フィルタ駆動用モータが正転すると、フィルタ駆動用モータの回転駆動力が上記連係ギヤ列を介して駆動ギヤ７１に伝わり、さらにフリクションギヤ４３が回転する。従って、後方支持板２８’がフリクションギヤ４３と一緒に（一体的に）回転軸３５を中心にして下方（正面視時計方向）に回転する。一方、駆動ギヤ７１と噛合している中間ギヤ５１が回転し、さらに中間ギヤ５１と噛合している中間ギヤ８３が回転（空転）する。
回転ユニット７３’が使用位置まで回転すると、後方支持板２８の側面がシャッターブロック１６の前面に突設したストッパ１６ａ（図６の仮想線参照）に当接し、かつ、フィルタ支持ギヤ６５が中間ギヤ８３と噛合（係合）することにより回転ユニット７３’の回転軸３５を中心とした回転が規制されるので（図６に実線参照）、フリクションギヤ４３が後方支持板２８’（基端部３１’）に対して相対回転する。そのためフリクションギヤ４３と噛合している駆動ギヤ７１が回転し続けるので、駆動ギヤ７１と噛合している中間ギヤ５１、中間ギヤ５１と噛合している中間ギヤ８３、及び、中間ギヤ８３と噛合しているフィルタ支持ギヤ６５が図６の矢線方向にそれぞれ回転する。その結果、偏向フィルタ６８が前方支持板２１’及び後方支持板２８’に対して光軸Ａを中心として定位置回転するので、第１レンズ群Ｌ１、及び、光束透過孔２５を透過した光束（被写体像）は偏向フィルタ６８によって偏向された後に、光束透過孔３２、第２レンズ群Ｌ２及び第３レンズ群Ｌ３を通り抜けて撮像素子１３によって撮像される。
回転ユニット７３’が使用位置に位置するときに撮影者が上記偏向撮影スイッチをＯＦＦ操作すると上記フィルタ駆動用モータが逆転する。この場合はフィルタ支持ギヤ６５と中間ギヤ８３及びストッパ１６ａとの間で回転規制力が発生しないので、後方支持板２８’がフリクションギヤ４３と一緒に（一体的に）回転軸３５を中心にして上方（図６の反時計方向）に回転する。そして回転ユニット７３’が退避位置まで回転したときにフィルタ駆動用モータが自動的に回転を停止する。
【００２３】
以上説明した第２の実施形態では前方支持板２１’と後方支持板２８’の間に中間ギヤ５１と補助ギヤ５４を設けていない。そのため、偏向フィルタ装置８０の光軸Ａ方向の薄型化を図るために前方支持板２１’及び後方支持板２８’を極力薄くした場合に、使用位置に位置する後方支持板２８’（及び前方支持板２１’）がフリクションギヤ４３から力を受けることにより（僅かに）撓んだとしても、駆動ギヤ７１の回転力はシャッターブロック１６’によって支持された中間ギヤ５１及び中間ギヤ８３を介してフィルタ支持ギヤ６５に確実に伝わる。そのため前方支持板２１’及び後方支持板２８’を極力薄くした場合であっても、フィルタ支持ギヤ６５（及び偏向フィルタ６８）を円滑に自転させることが可能である。
【００２４】
以上、第１及び第２の施形態を利用して本発明を説明したが、本発明は様々な変形を施しながら実施可能である。
例えば図７に示すように、第１の実施形態の偏向フィルタ装置２０の補助ギヤを３つの補助ギヤ、即ち、周方向に約１２０°間隔で配置した補助ギヤ５４、補助ギヤ６２、及び、補助ギヤ６３によって構成してもよい。
また図８に示すようにフィルタ支持ギヤ６５の内周縁部に光束透過孔３２側に突出する環状突部６５ａを形成した上で、該内周縁部に環状支持溝６５ｂを凹設し、環状支持溝６５ｂに偏向フィルタ６８の外周縁部を嵌合固定してもよい。
さらに図７、図８の変形例の構成を第２の実施形態の偏向フィルタ装置８０に適用してもよい。
【００２５】
さらに回転ユニット７３、７３’に設ける補助ギヤの数は３つ以上であれば、５つ以上であってもよい。
さらにレンズ鏡筒１０の内部に設けたシャッターブロック１６、１６’とは別のベース部材（例えばレンズ支持枠）に偏向フィルタ装置２０、８０を取り付けて良い。
【符号の説明】
【００２６】
１０    レンズ鏡筒
１１    固定環
１２    撮像素子ホルダ
１３    撮像素子
１４    ３群支持枠
１５    ２群支持枠
１６  １６’  シャッターブロック（ベース部材）
１６ａ  ストッパ
１７    １群支持枠
１８  １９  支持用凹部
２０    偏向フィルタ装置
２１  ２１’  前方支持板（フィルタ支持部材）
２１ａ  接続孔
２２    揺動アーム部
２３    フィルタ挟持部
２４    基端部
２５    光束透過孔
２６    軸受け孔
２８  ２８’  後方支持板（フィルタ支持部材）
２８ａ  接続孔
２９    揺動アーム部
３０    フィルタ挟持部
３１  ３１’  基端部
３２    光束透過孔
３３    軸受け孔
３５    回転軸
３６    後端嵌合部
３７    支持フランジ
３８    回転支持部
３９    環状凹部
４０    前端嵌合部
４１    付勢バネ
４３    フリクションギヤ
４４  ワッシャ
４５    Ｅリング
４７    支持軸
４８    回転支持部
４９  ５０  嵌合凸部
５１    中間ギヤ（フィルタ使用時作動ギヤ）
５２    支持軸
５４    補助ギヤ
５７  ５８  ５９  ６０  支持軸
６１    補助ギヤ（主補助ギヤ）
６２  ６３  ６４  補助ギヤ（副補助ギヤ）
６５    フィルタ支持ギヤ
６５ａ  環状突部
６５ｂ  環状支持溝
６６    フィルタ支持孔
６８    偏向フィルタ
７０    回転支持軸
７１    駆動ギヤ
７３  ７３’  回転ユニット
８０    偏向フィルタ装置
８１  ８２  支持軸
８３    中間ギヤ
Ａ      光軸
Ｌ１    第１レンズ群（撮影光学系）
Ｌ２    第２レンズ群（撮影光学系）
Ｌ３    第３レンズ群（撮影光学系）
【図１】
2013142739.tif 000003
【図２】
2013142739.tif 000004
【図３】
2013142739.tif 000005
【図４】
2013142739.tif 000006
【図５】
2013142739.tif 000007
【図６】
2013142739.tif 000008
【図７】
2013142739.tif 000009
【図８】
2013142739.tif 000010